(57)【要約】【課題】ハードコピーや印刷物の画像を容易に電子データ化できて、電子ペーパーに適用することによりその使い勝手を向上し得る画像入力装置を提供する。【解決手段】自身は露光手段を持たず、アクティブ駆動素子を形成するマトリックス回路と光電変換部とを有する画像読み取り手段にて、自身を透過する光を光源として画像を読み取る構成としたシート状画像入力装置。【選択図】        図５
2004165978.tif 000002
【特許請求の範囲】
【請求項１】
自身は露光手段を持たず、アクティブ駆動素子を形成するマトリックス回路と光電変換部とを有する画像読み取り手段にて、自身を透過する光を光源として画像を読み取る構成としたことを特徴とするシート状画像入力装置。
【請求項２】
第１の支持体上に、アクティブ駆動素子を形成するマトリックス回路と光電変換部とを有する画像読み取り手段及び、第２の支持体をこの順に積層した光透過性の画像読み取り部を有することを特徴とするシート状画像入力装置。
【請求項３】
前記画像読み取り手段が前記マトリックス回路を介して光電変換部と対向する電荷保持部を有することを特徴とする請求項１又は２に記載のシート状画像入力装置。
【請求項４】
有機半導体を用いた電界効果型トランジスタを有するアクティブ駆動素子であることを特徴とする請求項１、２又は３に記載のシート状画像入力装置。
【請求項５】
光電変換部が有機半導体を有することを特徴とする請求項１、２、３又は４に記載のシート状画像入力装置。
【請求項６】
データ送信手段を有することを特徴とする請求項１〜５の何れか１項に記載のシート状画像入力装置。
【請求項７】
集光系を有することを特徴とする請求項１〜６の何れか１項に記載のシート状画像入力装置。
【請求項８】
画像表示部、操作部及び記憶部を有し、画像表示部を有する面とは反対側の面に請求項１乃至７に記載のシート状画像入力装置を一体に有することを特徴とするシート状表示媒体。
【発明の詳細な説明】
【０００１】
【発明の属する技術分野】
本発明は、電子ペーパーに適用するのに好適な、ハードコピーや印刷物の画像を容易に電子データ化できるシート状画像入力装置に関する。
【０００２】
【従来の技術】
近年、ハードコピーに情報をプリントアウトして紙を大量に消費することが環境上問題視される様になったことから、書き換え可能で、表示の保持に多くのエネルギーを要さず、携帯性に優れる電子ペーパーという概念の表示媒体が提案されており、薄型の液晶表示装置、エレクトロクロミックディスプレイ、特開昭５５−１５４１９８号公報等に記載の、サーマルヘッドで記録・消去を行う有機低分子・高分子樹脂マトリックス系表示媒体、米国特許第６，２６２，８３３号、特開２０００−１７１８３９、同２００１−２０１７７０等に記載の電気泳動表示装置等での実用化が検討されている。
【０００３】
【発明が解決しようとする課題】
上記の様な電子ペーパーをハードコピーに代えて用いる場合、表示データはＬＡＮ（ローカルネットワーク）等のネットワークやパソコン等の端末、メモリなどの媒体を介して伝送された電子データとしてのコンテンツであり、ハードコピーや印刷物の画像や文書を電子ペーパーに表示するためには、一旦スキャナ等により電子データに変換する必要が有り、手間が掛かって決して使い勝手が良いわけではない。
【０００４】
また必要部数だけ電子ペーパーに伝送を繰り返す煩わしさも有る。
本発明は上記の事情に鑑みてなされたものであり、その目的は、ハードコピーや印刷物の画像を容易に電子データ化できて、電子ペーパーに適用することによりその使い勝手を向上し得る画像入力装置を提供することにある。
【０００５】
【課題を解決するための手段】
本発明の上記目的は、
１）自身は露光手段を持たず、アクティブ駆動素子を形成するマトリックス回路と光電変換部とを有する画像読み取り手段にて、自身を透過する光を光源として画像を読み取る構成としたシート状画像入力装置、
２）第１の支持体上に、アクティブ駆動素子を形成するマトリックス回路と光電変換部とを有する画像読み取り手段及び、第２の支持体をこの順に積層した光透過性の画像読み取り部を有するシート状画像入力装置、
３）前記画像読み取り手段が前記マトリックス回路を介して光電変換部と対向する電荷保持部を有する１）又は２）のシート状画像入力装置、
４）有機半導体を用いた電界効果型トランジスタを有するアクティブ駆動素子である１）〜３）のシート状画像入力装置、
５）光電変換部が有機半導体を有する１）〜４）のシート状画像入力装置、
６）データ送信手段を有する１）〜５）のシート状画像入力装置、
７）集光系を有する１）〜６）のシート状画像入力装置、
８）画像表示部、操作部及び記憶部を有し、画像表示部を有する面とは反対側の面に１）〜７）のシート状画像入力装置を一体に有するシート状表示媒体、
によって達成される。
【０００６】
即ち本発明者は、通常の画像入力装置（スキャナとも言う。）では、（走査）露光手段によって露光を行い、反射光を受光してＣＣＤ等で電気信号に変換するといった形態を採るため、装置の小型化に限度が有り携帯性に欠け、入力する画像を記録したメディア（ハードコピー、印刷物等）の方をスキャナの設置場所まで持参して走査する必要が有る不都合を回避するため、露光手段を無くすこと、光電変換手段をコンパクトにすることを検討し、自身を透過する光を光源とし、反射光を光電変換層で電荷に変換してアクティブ駆動素子（ＴＦＴ）で電気信号化すれば光電変換手段を薄層化することができ、画像入力装置をシート化できて、該シートを重ねることによる画像読み取りが可能であると考え、本発明に至った。
【０００７】
【発明の実施の形態】
以下、本発明を実施の形態に基づき説明するが、これらに限定されるものではない。
【０００８】
図１及び図２は、本発明に係るアクティブ駆動素子を形成するマトリックス回路と光電変換部とを有する画像読み取り手段の構成を具体的に説明する図である。
【０００９】
図１は１画素に対応する画像読み取り手段（光センサー）を模式的に示すものである。
【００１０】
反射光を電気エネルギーに変換する光電変換層２は光電変換を円滑に行うために、いくつかの機能分離された層を有することが好ましく、例えば透明電極膜２１、正孔伝導層２２、電荷発生層２３、電子伝導層２４、導電層２５が設けられている。
【００１１】
透明電極膜２１は、例えばインジウムチンオキシド（ＩＴＯ）、ＳｎＯ２、ＺｎＯなどの導電性透明材料を用いて形成される。この透明電極膜２１の形成では、蒸着やスパッタリング等の方法を用いて薄膜を形成できる。また、フォトリソグラフィー法で所望の形状のパターンを形成してもよく、あるいは高いパターン精度を必要としない場合（１００μｍ以上程度）は、上記電極物質の蒸着やスパッタリング時に所望の形状のマスクを介してパターンを形成してもよい。この透明電極は透過率を１０％より大きくすることが望ましく、またシート抵抗は数百Ω／□以下が好ましい。さらに膜厚は材料にもよるが、通常１０ｎｍ〜１μｍ、好ましくは１０ｎｍ〜２００ｎｍの範囲で選ばれる。膜厚が薄い場合には透明電極がアイランド状になってしまうからであり、膜厚が厚い場合には透明電極の形成に時間を要してしまうからである。
【００１２】
電荷発生層２３では、光によって電子と正孔を発生する。ここで発生した正孔は正孔伝導層２２に集められ、電子は電子伝導層２４に集められる。なお、本構造において、正孔伝導層２２と電子伝導層２４は必ずしも必須なものではない。
【００１３】
導電層２５は、例えばクロムなどで生成されている。また、一般の金属電極若しくは前記透明電極の中から選択可能であるが、良好な特性を得るためには仕事関数の小さい（４．５ｅＶ以下）金属、合金、電気伝導性化合物及びこれらの混合物を電極物質とするものが好ましい。このような電極物質の具体例としては、ナトリウム、ナトリウム−カリウム合金、マグネシウム、リチウム、アルミニウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類全属などが挙げられる。この導電層２５は、これらの電極物質を原料として蒸着やスパッタリング等の方法を用いて生成できる。また、導電層２５のシート抵抗は数百Ω／□以下が好ましく、膜厚は通常１０ｎｍ〜１μｍ、好ましくは５０ｎｍ〜５００ｎｍの範囲で選ばれる。膜厚が薄い場合には導電層がアイランド状になってしまうからであり、膜厚が厚い場合には導電層の形成に時間を要してしまうからである。
【００１４】
電荷発生層２３は、いわゆる有機ＥＬ素子の構成を適用することができ、その構成材料が低分子系のものでも高分子系のもの（ライトエミッティングポリマーとも言う）でもよい。本発明に係る電荷発生層２３で用いる光電変換可能な材料としては、導電性高分子材料（シリコン系高分子材料など）や低分子系有機ＥＬ素子に使用される発光材料等が挙げられる。例えば導電性高分子材料としては、ポリ（２−メトキシ、５−（２’エチルヘキシロキシ）−ｐ−フェニレンビニレン）そしてポリ（３−アルキルチオフェン）などがある。また「有機ＥＬ材料とディスプレイ（２００１年２月２８日株式会社シー・エム・シー発行）」の第１９０頁〜第２０３頁に記載されている化合物や、「有機ＥＬ素子とその工業化最前線（１９９８年１１月３０日エヌ・ティー・エス社発行）」の第８１頁〜第９９頁に記載されている化合物などが挙げられる。前記低分子系有機ＥＬ素子に使用される発光材料としては、例えば、「有機ＥＬ素子とその工業化最前線（１９９８年１１月３０日エヌ・ティー・エス社発行）」の第３６頁〜第５６頁に記載されている化合物や、「有機ＥＬ材料とディスプレイ（２００１年２月２８日株式会社シー・エム・シー発行）」の第１４８頁〜第１７２頁に記載されている化合物等が挙げられる。
【００１５】
さらに、電荷発生層２３に変換効率や電極へのキャリア受け渡し効率を向上させるために添加剤を加えてもよい。また該添加剤を別の層として設けて正孔伝導層２２と電子伝導層２４を形成する。添加剤としては、有機ＥＬ素子で使用される正孔注入材料や正孔輸送材料、電子輸送材料、電子注入材料等を適用することができる。その具体例としては、例えばトリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また、導電性高分子オリゴマー、特にチオフェンオリゴマー、ポルフィリン化合物、芳香族第三級アミン化合物及びスチリルアミン化合物、ニトロ置換フルオレン誘導体、ジフェニルキノン誘導体、チオピランジオキシド誘導体、ナフタレンペリレンなどの複素環テトラカルボン酸無水物、カルボジイミド、フレオレニリデンメタン誘導体、アントラキノジメタン及びアントロン誘導体、オキサジアゾール誘導体、チアジアゾール誘導体、キノキサリン誘導体、８−キノリノール誘導体の金属錯体（例えばトリス（８−キノリノラート）アルミニウム（Ａｌｑ３）、トリス（５，７−ジクロロ−８−キノリトラート）アルミニウム、トリス（５，７−ジブロモ−８−キノリラート）アルミニウム、トリス（２−メチル−８−キノリラート）アルミニウム、トリス（５−メチル−８−キノリラート）アルミニウム、ビス（８−キノリラート）亜鉛（Ｚｎｑ２）など）である。
【００１６】
３は、光電変換層２で得られた電気エネルギーの蓄積および蓄積された電気エネルギーに基づく信号の出力を行うアクティブ駆動素子を形成するマトリックス回路を有する層であり、光電変換層２で生成された電気エネルギーを画素毎に蓄える電荷保持部（キャパシタ）３１と、蓄えられた電気エネルギーを信号として出力するためのスイッチング素子であるトランジスタ３２を有する。
【００１７】
ＴＦＴのトランジスタ３２は、液晶ディスプレイ等に使用されている無機半導体系のものでも、有機半導体を用いたものでも良い。ＴＦＴはプラスチックフィルム上に形成されたものであり、トランジスタとしてアモルファスシリコン系のものを用いることが知られているが、その他、米国Ａｌｉｅｎ  Ｔｅｃｈｎｏｌｏｇｙ社が開発しているＦＳＡ（Ｆｌｕｉｄｉｃ  Ｓｅｌｆ  Ａｓｓｅｍｂｌｙ）技術、即ち、単結晶シリコンで作製した微小ＣＭＯＳ（Ｎａｎｏｂｌｏｃｋｓ）をエンボス加工したプラスチックフィルム上に配列させることで、フレキシブルなプラスチックフィルム上にＴＦＴを形成するものとしても良い。さらに、Ｓｃｉｅｎｃｅ２８３，８２２（１９９９）やＡｐｐｌ．Ｐｈｙｓ．Ｌｅｔｔ，７７１４８８（１９９８）、Ｎａｔｕｒｅ，４０３，５２１（２０００）等の文献に記載されているような有機半導体を用いてもよい。
【００１８】
本発明においては、上記ＦＳＡ技術で作製したＴＦＴ及び有機半導体を用いることが好ましく、特に好ましいものは有機半導体である。この有機半導体を用いてＴＦＴを構成すれば、シリコンを用いてＴＦＴを構成する場合のように真空蒸着装置等の設備が不要となり、印刷技術やインクジェット技術を活用してＴＦＴを形成できるので、製造コストが安価となる。さらに、加工温度を低くできることから熱に弱いプラスチック基板状にも形成できる。
【００１９】
また、有機半導体を用いたトランジスタの内、電界効果型トランジスタが特に好ましく、具体的には図３に示す構造のものが好ましい。図３（ａ）は、支持体４上にゲート電極３２ａ、ゲート絶縁層３２ｅ、ソース・ドレイン電極３２ｂ・ｃ、有機半導体層３２ｄを順に形成したものである。図３（ｂ）は、支持体４上にゲート電極３２ａ、ゲート絶縁層３２ｅ、有機半導体層３２ｄ、ソース・ドレイン電極３２ｂ・ｃを順に形成したものであり、図３（ｃ）は、有機半導体単結晶３２ｄ’上にソース・ドレイン電極３２ｂ・ｃ、ゲート絶縁層３２ｅ、ゲート電極３２ａを順に形成したものである。
【００２０】
有機半導体層３２ｄを形成する化合物は、単結晶材科でもアモルファス材料でもよく、低分子でも高分子でもよいが、特に好ましいものとしては、ペンタセンやトリフェニレン、アントラセン等に代表される縮環系芳香族炭化水素化合物の単結晶や、π共役系高分子が挙げられる。
【００２１】
ソース電極３２ｂ、ドレイン電極３２ｃ及びゲート電極３２ｅは、金属でも導電性無機化合物でも導電性有機化合物でも何れでもよいが、作製の容易さの観点から導電性有機化合物であることが好ましく、その代表例としては、前記π共役系高分子化合物にルイス酸（塩化鉄、塩化アルミニウム、臭化アンチモン等）やハロゲン（ヨウ素や臭素など）、スルホン酸塩（ポリスチレンスルホン酸のナトリウム塩（ＰＳＳ）、ｐ−トルエンスルホン酸カリウム等）などをドープしたものが挙げられ、具体的にはポリエチレンジオキシチオフェン（ＰＥＤＯＴ）にＰＳＳを添加した導電性高分子が代表例として挙げられる。
【００２２】
スイッチング素子であるトランジスタ３２には、光電変換層２で生成された電気エネルギーを蓄積するとともに、キャパシタ３１の一方の電極となる収集電極３３が接続されている。このキャパシタ３１には光電変換層２で生成された電気エネルギーが蓄積されるとともに、この蓄積された電気エネルギーはトランジスタ３２を駆動することで読み出される。すなわちスイッチング素子を駆動することで画像の画素毎の信号を生成することができる。なおトランジスタ３２は、ゲート電極３２ａ、ソース電極（ドレイン電極）３２ｂ、ドレイン電極（ソース電極）３２ｃ、有機半導体層３２ｄ、絶縁層３２ｅで構成されている。
【００２３】
１は第１の支持体、４は第２の支持体である。支持体として好ましく用いられる基板は、プラスチックフィルムであり、プラスチックフィルムとしては、例えばポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ボリカーボネート（ＰＣ）、セルローストリアセテート（ＴＡＣ）、セルロースアセテートプロピオネート（ＣＡＰ）等からなるフィルム等が挙げられる。
【００２４】
図２はアクティブ駆動素子を形成するマトリックス回路の例である。
図において１００は画像読み取り部で、信号線３４−１〜３４−ｎに、例えばドレイン電極が接続された初期化用のトランジスタ３５−１〜３５−ｎが設けられている。このトランジスタ３５−１〜３５−ｎのソース電極は接地されている。また、ゲート電極はリセット線３５１と接続される。
【００２５】
走査線３６−１〜３６−ｍとリセット線３５１は、走査駆動回路５０と接続されている。走査駆動回路５０から走査線３６−１〜３６−ｍのうちの１つ走査線３６−ｐ（ｐは１〜ｍのいずれかの値）に読出信号ＲＳが供給されると、この走査線３６−ｐに接続されたトランジスタ３２−（ｐ，１）〜３２−（ｐ，ｎ）がオン状態とされて、キャパシタ３１−（ｐ，１）〜３１−（ｐ，ｎ）に蓄積された電気エネルギーが信号線３４−１〜３４−ｎにそれぞれ読み出される。信号線３４−１〜３４−ｎは、信号選択回路３７の信号変換器３７１−１〜３７１−ｎに接続されており、信号変換器３７１−１〜３７１−ｎでは信号線３４−１〜３４−ｎ上に読み出された電気エネルギー量に比例する電圧信号ＳＶ−１〜ＳＶ−ｎを生成する。この信号変換器３７１−１〜３７１−ｎから出力された電圧信号ＳＶ−１〜ＳＶ−ｎはレジスタ３７２に供給される。
【００２６】
レジスタ３７２では、供給された電圧信号が順次選択されて、Ａ／Ｄ変換器３７３で（例えば、１２ビットないし１４ビットの）１つの走査線に対するデジタルの画像信号とされ、制御回路４０は、走査線３６−１〜３６−ｍ各々に、走査駆動回路５０を介して読出信号ＲＳを供給して画像走査を行い、走査線毎のデジタル画像信号を取り込んで、読み取り画像の画像信号の生成を行う。この画像信号は制御回路４０に供給される。なお、走査駆動回路５０からリセット信号ＲＴをリセット線３５１に供給してトランジスタ３５−１〜３５−ｎをオン状態とするとともに、走査線３６−１〜３６−ｍに読出信号ＲＳを供給してトランジスタ３２−（１，１）〜３２−（ｍ，ｎ）をオン状態とすると、キャパシタ３１−（１，１）〜３１−（ｍ，ｎ）に蓄えられた電気エネルギーがトランジスタ３５−１〜３５−ｎを介して放出して、画像読み取り部１００の初期化を行うことができる。
【００２７】
制御回路４０にはメモリ部４１や操作部４２が接続されており、操作部４２からの操作信号ＰＳに基づいてシート状画像入力装置の動作が制御される。
【００２８】
４４は外部電源で後述するシート状表示媒体と同様に構成でき、シート状表示媒体とコネクタ４５を介して一体化すればその表示部４３に制御回路４０から画像データＤＳを入力することができる。
【００２９】
又、コネクタ４５に代えてデータ送信手段、例えば非接触通信型アンテナコイル付きＩＣモジュールの様な通信モジュールを内蔵させ、各種表示媒体にデータを伝送する様に構成することも好ましい。この場合指向性の通信モジュールを用いるのが好ましい。指向性の通信モジュールとしては、ショットキバリアダイオードをアンテナに接続したＩＣチップ、アンテナを組み合わせて指向性を有する半波長ダイポールアンテナとする構成のＩＣチップ等を用いたり、無線ＬＡＮ方式やｂｌｕｅｔｏｏｔｈ方式を採用したりすることができるが、データ転送不要な表示媒体への誤送信を防止するため、伝達距離や指向する角度を規制する構成にするのが好ましい。
【００３０】
図４は本発明のシート状画像入力装置と一体にして用いるシート状表示媒体の画像表示部側の構成をモデル的に示す図であり、画像表示部４３、操作部４６、内蔵された記憶部４７、通信モジュール４８を有する。また４９は電源部である。
【００３１】
画像表示部４３は前述の様に薄型の液晶表示装置、エレクトロクロミックディスプレイ、電気泳動表示装置や有機ＥＬ素子等で構成することができる。またタッチパネルセンサを表面に設けて、タッチ入力やペン入力機能を持たせても良い。なお画像表示部は余白部分４３１に操作部４６、記憶部４７、通信モジュール４８等と共に構成された駆動・制御回路（図示せず）で表示制御される。
【００３２】
操作部４６は表示のＯＮ／ＯＦＦ、ページ送りやジャンプ、明度・彩度・コントラストの調整、データの送受信操作等が行える様に構成され、シート状表示媒体が記憶保持するデータのコンテンツ（ファイル名、表示頁、詳細情報等）についての情報や日時、充電状態などの表示部を設けてもよく、タッチ入力方式でもジョグダイアル方式でもスイッチ方式でも良い。
【００３３】
記憶部４７はＥ２ＰＲＯＭ等の書き換え可能な不揮発性メモリで構成され、表示データや新規入力データを格納する。
【００３４】
本発明に係るシート状表示媒体は、相互にデータ通信可能に構成されることが好ましく、例えば非接触通信型アンテナコイル付きＩＣモジュールの様な通信モジュール４８を内蔵する。もちろん接触型の外部端子としても良い。表示媒体が接触型の外部端子でデータを受信するタイプの場合、本発明のシート状画像入力装置はデータ送信手段として接触型の外部端子を有するのが好ましい。
【００３５】
電源部４９は、外部から供給される電磁波からコイル、アンテナ等を用いて電力エネルギーを抽出する回路で構成しても良いし、太陽電池等を用いても、端子から充電するバッテリー形式としても良い。
【００３６】
図５は本発明のシート状画像入力装置による画像読み取りを画像読み取り部の１画素分をモデル的に示して説明する図で、画像入力装置の光電変換部２３側が入力する画像Ｇを記録したメディアＭと重ね合わされている。
【００３７】
本発明に係る画像読み取り部は光透過性であることが必要であり、光透過率が１％以上あれば画像読み取り可能に構成できるが、表示媒体と一体化されているときはノイズを避けるために表示は消去して入力動作を行うのが好ましい。又、図５に示す様に画像読み取り部の画素毎に開口部５を有するのも好ましい態様であり、表示媒体と一体化されているときは画像表示部側にも画素毎に開口部を有し、且つ両者の開口部の配置が一致しているのが好ましい。図５において（ａ）は集光系として光ファイバーをスライスして形成した層１１が支持体１に密着されているものであり、（ｂ）は集光系として屈折率分布型のＧＲＩＮレンズ（例えば日本板ガラス社製、セルフォックレンズ等）からなるアレイ１２が支持体１に密着されているものであり、（ｃ）は集光系として凸レンズアレイ１３を採用し、クロスオーバーを避けるため隣接レンズ間が遮光されているものを画像に密着させるものであり、（ｄ）は集光系として両凸レンズアレイを用いるものである。
【００３８】
なお本発明のシート状画像入力装置においては、画素毎の読み取り部とカラーモザイクフィルターを組み合わせることにより、例えばイエロー・マゼンタ・シアン（ＹＭＣ）或いは赤・青・緑（ＢＧＲ）の様な３原色に対する色感度を画素毎に個別に持たせて、カラー画像の入力に用いることもできる。
【００３９】
図６に本発明のシート状画像入力装置による画像読み取り動作のフローチャートを示す。
【００４０】
まず本発明の入力装置の画像読み取り部を入力する画像が記録されたメディアに重ね電源４４との接続をＯＮして読み取りをスタートする。操作者が操作部４２のコピー釦（図示せず）を押すと（ステップＳ６０１）、制御回路４０は信号ＲＣによりＴＦＴ駆動制御回路５０を起動し（ステップＳ６０２）、駆動制御回路５０が読出信号ＲＳを走査線３６に供給して画像走査を行い（ステップＳ６０３）、走査線毎にデジタル画像信号を取り込んで一旦メモリ４１に格納する（ステップＳ６０４）。次いで制御回路４０がメモリからデータを読み出し、演算処理して画像データに変換し（ステップＳ６０５）、画像データをメモリ４１に保存する（ステップＳ６０６）。
【００４１】
シート状表示媒体と一体に構成されていれば（ステップＳ６０７でＹＥＳ）、制御回路４０は画像データをメモリ４１から読み出して画像表示部４３に表示し（ステップＳ６０８）、画像表示媒体の操作部４６に画像調整用表示を行い操作者による入力を待つ（ステップＳ６０９）。何らかの調整指示（濃度変更、階調変更、部分拡大など）があれば（ＹＥＳ）ステップＳ６０５に戻り、操作者による確定の入力がされるまで操作を繰り返す。
【００４２】
画像確定の入力がされた場合（ＮＯ）、表示媒体側の記憶部４７のメモリ容量は充分か確認し（ステップＳ６１０）、操作部４６に画像保存の可否を表示し（ステップＳ６１１）、画像保存の指示があれば表示媒体側の記憶部に画像データを送信して（ステップＳ６１２）、入力装置側のメモリ４１の画像データを削除して終了する（ステップＳ６１３）。
【００４３】
表示媒体と一体に構成されていなければ（ステップＳ６０７でＮＯ）、制御回路４０は画像データをメモリ４１から読み出して演算処理して伝送データに変換し（ステップＳ６１４）、操作者による操作部４２からの入力に従って伝送処理を行い（ステップＳ６１５）、同様に入力装置側のメモリ４１の画像データを削除して終了する（ステップＳ６１３）。
【００４４】
【発明の効果】
本発明の画像入力装置は、自身を透過する光を光源とし、反射光を光電変換層で電荷に変換してアクティブ駆動素子（ＴＦＴ）で電気信号化するので、シート状に構成され、該シートを入力する画像を記録したメディア（ハードコピー、印刷物等）に重ねることによる画像読み取りが可能であり、携帯性に優れ、メディアをスキャナの設置場所まで持参する必要が無い。
【図面の簡単な説明】
【図１】１画素に対応する画像読み取り手段（光センサー）を模式的に示す図である。
【図２】アクティブ駆動素子を形成するマトリックス回路の例を示す図である。
【図３】有機半導体を用いた電界効果型トランジスタの構造の例を示す図である。
【図４】本発明のシート状画像入力装置と一体にして用いるシート状表示媒体の画像表示部側の構成をモデル的に示す図である。
【図５】本発明のシート状画像入力装置による画像読み取りを画像読み取り部の１画素分をモデル的に示して説明する図である。
【図６】本発明のシート状画像入力装置による画像読み取り動作のフローチャートである。
【符号の説明】
１  第１の支持体
２  光電変換層
３  アクティブ駆動素子を形成するマトリックス回路を有する層
３１  電荷保持部（キャパシタ）
３２  トランジスタ
３４  信号線
３６  走査線
３７  信号選択回路
４  第２の支持体
４０  制御回路
４３  画像表示部
４４  外部電源
４５  コネクタ
４６  操作部
４７  記憶部
４８  通信モジュール
４９  電源部
５０  走査駆動回路
１００  画像読み取り部
【図１】
2004165978.tif 000003
【図２】
2004165978.tif 000004
【図３】
2004165978.tif 000005
【図４】
2004165978.tif 000006
【図５】
2004165978.tif 000007
【図６】
2004165978.tif 000008